【手続補正書】
【提出日】令和3年3月22日(2021.3.22)
【手続補正１】
【補正対象書類名】特許請求の範囲
【補正対象項目名】全文
【補正方法】変更
【補正の内容】
【特許請求の範囲】
【請求項１】
電気的記憶デバイスを有するカートリッジを着脱可能な画像形成装置であって、
前記電気的記憶デバイスの第１の領域から画像形成に用いられる制御情報を、前記第１の領域に格納された制御情報の正当性を判別するための判別情報を格納する第２の領域から前記判別情報を取得する取得手段と、
前記制御情報と前記判別情報とに基づき前記制御情報の前記正当性を判別する判別手段と、
前記判別手段により前記制御情報が正当であると判別されたときに、前記取得手段で取得した前記制御情報を用いて画像形成を制御する制御手段と
を有することを特徴とする画像形成装置。
【請求項２】
前記電気的記憶デバイスは、前記カートリッジを識別するための識別情報を記憶する第３の領域を有し、
前記制御情報に基づき判別情報を生成する生成手段を更に有し、
前記取得手段は、前記第３の領域から取得された識別情報に応じた判別情報を前記第２の領域から取得し、
前記生成手段は、前記取得された制御情報に基づき判別情報を生成し、
前記判別手段は、前記識別情報に応じた判別情報と前記生成された判別情報との比較に基づき前記制御情報の正当性を判別することを特徴とする請求項１に記載の画像形成装置。
【請求項３】
前記電気的記憶デバイスは、前記カートリッジを識別するための識別情報を記憶する第３の領域を有し、
前記制御情報に基づき判別情報を生成する生成手段を更に有し、
前記取得手段は、前記第３の領域から前記識別情報を取得し、
前記取得手段は、前記取得された前記識別情報に応じた前記制御情報を、前記第１の領域に格納された第１制御情報および第２制御情報から選択し、前記第２の領域から、前記取得された識別情報に応じた判別情報を第１判別情報および第２判別情報から選択し、
前記生成手段は、前記選択された制御情報から判別情報を生成し、
前記判別手段は、前記選択された判別情報と前記生成された判別情報との比較に基づき前記選択された制御情報の正当性を判別することを特徴とする請求項１に記載の画像形成装置。
【請求項４】
前記判別情報は、オリジナルの制御情報を用いて導出された情報であることを特徴とする請求項１乃至３のいずれか一項に記載の画像形成装置。
【請求項５】
前記制御情報は、前記画像形成における、トナー像を転写材に転写するための転写制御、および、前記転写材に転写されたトナー像を定着するための定着制御の少なくともいずれかに関する情報であることを特徴とする請求項１乃至４のいずれか一項に記載の画像形成装置。
【請求項６】
前記正当性の判別は、オリジナルの制御情報との一致性の判別であることを特徴とする請求項１乃至５のいずれか一項に記載の画像形成装置。
【請求項７】
画像形成装置に着脱可能なカートリッジに備えられる電気的記憶デバイスであって、
前記画像形成装置による画像形成に用いられる制御情報を格納する第１の領域と、
前記第１の領域に格納された制御情報の正当性を判別するための判別情報を格納する第２の領域と
を有することを特徴とする電気的記憶デバイス。
【請求項８】
前記第２の領域に格納された判別情報は、オリジナルの前記制御情報を用いて導出された情報であることを特徴とする請求項７に記載の電気的記憶デバイス。
【請求項９】
前記判別情報は、ハッシュ関数を用いて導出されることを特徴とする請求項８に記載の電気的記憶デバイス。
【請求項１０】
前記判別情報は、前記第１の領域に格納された制御情報よりもデータ量が少ないことを特徴とする請求項７乃至９のいずれか一項に記載の電気的記憶デバイス。
【請求項１１】
前記第１の領域に格納された制御情報は、前記画像形成装置による画像形成に用いられる制御パラメータを補正するための情報であることを特徴とする請求項７乃至１０のいずれか一項に記載の電気的記憶デバイス。
【請求項１２】
前記制御情報は、前記画像形成における、トナー像を転写材に転写するための転写制御、および、前記転写材に転写されたトナー像を定着するための定着制御の少なくともいずれかに関する情報であることを特徴とする請求項７乃至１１のいずれか一項に記載の電気的記憶デバイス。
【請求項１３】
前記転写制御に関する情報は、転写制御に用いられる電圧の値を変更するための情報であることを特徴とする請求項１２に記載の電気的記憶デバイス。
【請求項１４】
前記定着制御に関する情報は、定着制御に用いられる温度の値を変更するための情報であることを特徴とする請求項１２または１３に記載の電気的記憶デバイス。
【請求項１５】
前記正当性の判別は、オリジナルの制御情報との一致性の判別であることを特徴とする請求項７乃至１４のいずれか一項に記載の電気的記憶デバイス。
【請求項１６】
前記カートリッジを識別するための識別情報を格納する第３の領域を有することを特徴とする請求項７乃至１５のいずれか１項に記載の電気的記憶デバイス。
【請求項１７】
画像形成装置に着脱可能なカートリッジであって、
請求項７乃至１６のいずれか一項に記載の電気的記憶デバイスと、
現像剤を収容する収容部と
を有することを特徴とするカートリッジ。
【請求項１８】
情報を記憶する電気的記憶デバイスを備えるカートリッジを着脱可能な画像形成装置の制御方法であって、
前記電気的記憶デバイスは、
前記画像形成装置による画像形成に用いられる制御情報を格納する第１の領域と、
前記第１の領域に格納された制御情報の正当性を判別するための判別情報を格納する第２の領域と、を有し、
前記第１の領域に格納された制御情報を用いて第１の情報を導出する導出工程と、
前記第１の情報と、前記第２の領域に格納された判別情報とに基づき、前記第１の領域に格納された制御情報が正当か否かを判定する判定工程と、
前記判定工程により正当であると判定された場合、前記第１の領域に格納された制御情報を用いて画像形成に用いられる制御パラメータを補正して、前記画像形成を制御する制御工程と
を有することを特徴とする制御方法。
【請求項１９】
前記制御工程において、前記判定工程により正当でないと判定された場合、前記第１の領域に格納された制御情報を用いた制御パラメータの補正は行われないことを特徴とする請求項１８に記載の制御方法。
【請求項２０】
前記判定工程により正当でないと判定された場合、エラーを通知する工程を更に有することを特徴とする請求項１８または１９に記載の制御方法。
【請求項２１】
前記電気的記憶デバイスは、前記第１の領域に格納された制御情報と前記画像形成装置との対応を示す識別情報を格納する第３の領域を更に有し、
前記判定工程において、前記識別情報に基づき、前記第１の領域に格納されている制御情報のうち前記画像形成装置に対応した制御情報を用いて判定を行うことを特徴とする請求項１８乃至２０のいずれか一項に記載の制御方法。
【請求項２２】
前記識別情報に基づき、前記画像形成装置に対応した制御情報が前記第１の領域に格納されていないと判定された場合、エラーを通知する工程を更に有することを特徴とする請求項２１に記載の制御方法。
【請求項２３】
前記正当性の判別は、オリジナルの制御情報との一致性の判別であることを特徴とする請求項１８乃至２２のいずれか一項に記載の制御方法。
【請求項２４】
電気的記憶デバイスを有するカートリッジを着脱可能な画像形成装置であって、
前記電気的記憶デバイスから前記カートリッジを識別するための識別情報を取得する取得手段と、
制御手段と、
を有し、
前記電気的記憶デバイスには第１画像形成装置用の第１制御情報と、前記第１画像形成装置用とは異なるバージョンの第２画像形成装置用の第２制御情報とが格納されており、
前記取得手段は、前記電気的記憶デバイスより、自装置に対応する制御情報を、前記第１制御情報および第２制御情報から選択的に選択し、
前記制御手段は、前記選択された制御情報を用いて画像形成を制御することを特徴とする画像形成装置。